(57)【要約】【課題】負圧が作用したときに上端の係止部が変形するのを抑制できるように、特に係止部の強度を高める。これによって、折板の飛散を抑制する。【解決手段】折板の馳部が係止される係止部１２を上端部に有する金属板からなる吊子１１であって、材料の金属板の一部を折り返して密着状態に重合させる折り曲げ部１６が、反係止部１２側の端部に形成され、該折り曲げ部１６から延びる重合部１７が前記の係止部１２まで延設された吊子１１。【選択図】図１
2010090673.tif 000002
【特許請求の範囲】
【請求項１】
折板の馳部が係止される係止部を上端部に有する金属板からなる吊子であって、
材料の金属板を折り返して重合させる折り曲げ部が一部に形成されるとともに、
該折り曲げ部から延びる重合部が前記の係止部に形成された
吊子。
【請求項２】
前記の重合部に、取り付け孔が形成された
請求項１に記載の吊子。
【請求項３】
前記の重合部に、重なり合う部分で一体のリブが形成された
請求項１または請求項２に記載の吊子。
【請求項４】
前記の重合部と該重合部に重なる部分の相対向する対向面が、粗面に形成された
請求項１から請求項３のうちのいずれか一項に記載の吊子。
【発明の詳細な説明】
【技術分野】
【０００１】
この発明は、折板の固定に用いる固定金具に使用される吊子に関し、より詳しくは、強度が高く折板の飛散を抑制できるような吊子に関する。
【背景技術】
【０００２】
折板の飛散は次のようにして起こると考えられている。  
強風を受けると、特にケラバ部分のケラバ包みに変形や脱落が起こり、この部分から折板の下に空気が流入して内部圧力が一気に増加し、折板が浮き上がる。そして、この時、折板屋根の上面で吹き上げによる負圧力も作用して、これらの相乗作用で折板に強力な負圧の破壊力が生じる。この結果、折板を固定している吊子が破断し、これによって折板がさらに変形し、変形した折板が大きな荷重を受けて吊子が連鎖的に破断して、折板が飛散する。
【０００３】
このような現象の発生を抑えるには、ケラバ部分をしっかりと構成する必要があると考えられるが、そのほかにも、吊子の強度を確保することも重要になると思われる。吊子には、どうしても材料強度のばらつきがあるうえに、日射などで折板が熱伸縮して固定金具と吊子に負荷がかかって、経年にともなって強度の低下が引き起こされるからである。
【０００４】
この点、下記特許文献１に開示されているような吊子が提案されている。  
この吊子は、断面鉤形状の馳部に、吊子長手方向に交差する方向に沿って延びる補強リブを設けたもので、馳部の強度を強くして、吊子が折板の馳部から抜けることを防止しようとするものである。
【特許文献１】特開２０００−３２８７２７号公報
【発明の開示】
【発明が解決しようとする課題】
【０００５】
しかし、吊子の馳部の補強をリブによって行うので、強度のばらつきが生じ易いという難点がある。
【０００６】
すなわち、リブは金型を用いてプレスして形成するが、材料やプレス油、圧力などのプレスにかかわる条件によってリブ部分の強度に差が生じやすい。このため、強度が安定した製品を得ることが難しく、却って、折板が飛散する原因の一つである吊子強度のばらつきを助長してしまうおそれがある。
【０００７】
そこで、この発明は、吊子の強度のばらつきを抑え、負荷にも耐えうるようにして、折板の飛散を抑制することを主たる目的とする。
【課題を解決するための手段】
【０００８】
そのための手段は、折板の馳部が係止される係止部を上端部に有する金属板からなる吊子であって、材料の金属板を折り返して重合させる折り曲げ部が一部に形成されるとともに、該折り曲げ部から延びる重合部が前記の係止部に形成された吊子である。
【０００９】
吊子には重合部が形成され、この重合部により係止部の形状変化を抑制し、強度を補うことができる。しかも、この重合部は、折り曲げ部での折り返しによって形成されるものであるので、一体性は高く、保形能力が良好である。
【発明の効果】
【００１０】
以上のように、この発明によれば、係止部の保形能力が高いので、強度を向上できる。この結果、折板の飛散を抑制することが可能となる。
【発明を実施するための最良の形態】
【００１１】
この発明を実施するための一形態を、以下図面を用いて説明する。  
図１は、吊子１１の斜視図であり、この吊子１１は、図２に示したように、屋根板取り付け金具２１の上部に取り付けられる。図２に示した屋根板取り付け金具２１は、二重折板屋根を形成するときに使用するもので、様々ある屋根板取り付け金具２１のうちの一例である。屋根板取り付け金具２１は、このほか、たとえばタイトフレーム等であるもよく、この屋根板取り付け金具の構成によって吊子１１の各部の形状は適宜設定される。
【００１２】
吊子１１は、１枚の金属板を折り曲げて所定の形状にプレス加工して形成されている。その概略形状は、屋根を構成する折板を係止するための係止部１２を上端部に有し、その下方に、屋根板取り付け金具２１に取り付けるための取り付け部１３を有したものである。
【００１３】
係止部１２は、垂直に立つ垂直片１４の上端から直角に曲がって逆Ｌ形をなす基部１２ａと、この基部１２ａの先端から垂直片１４側に向けて斜め下方に延びる先端部１２ｂとを有する。この係止部１２は、取り付け部１３の下端よりも幅広に、長く形成されている。このため、垂直片１４の幅方向の両側が上側ほど幅広となるように斜めに形成されている。
【００１４】
取り付け部１３は、垂直片１４の下端から、係止部１２と反対方向に曲がる板状の固定片１３ａを有する。この固定片１３ａの中央部には、固定用のボルト２２を挿通する取り付け孔１５が形成されている。
【００１５】
このような概略形状をなす吊子１１において、前記の固定片１３ａの長さ方向の端部に、材料の金属板を折り返して重合させる折り曲げ部１６が形成されている。折り曲げ部１６で折り返した部分は固定片１３ａと垂直片１４と係止部１２の外面側に密着した状態で重なって、重合部１７を形成する。重合部１７は固定片１３ａに重合する部分では固定片１３ａと同一の幅を有し、垂直片１４と係止部１２に重合する部分では固定片１３ａよりも幅広で、垂直片１４や係止部１２よりも幅狭に設定されている。また、固定片１３ａと垂直片１４の下端部に対応する部分には、平面視略半円弧状をなす上へ凸のリブ１８，１７ａが形成されている。このリブ１８，１７ａは、図３に示したように、重なり合う部分で一体に形成される。
【００１６】
また、重合部１７における固定片１３ａに対応する部分には、固定片１３ａに形成された取り付け孔１５と同一形状の取り付け孔１７ｂが形成されている。取り付け孔１７ｂの形成は、重合した状態で打ち抜いて行う。図３に示したように、取り付け孔１５，１７ｂ部分での一体性も高まる。
【００１７】
さらに重合部１７は、係止部１２の基部１２ａまでの長さに設定される。係止部１２の変形は、基部１２ａのＬ字形に曲がった角部分で発生し易いので、少なくともこの部分での変形を抑えることが必要だからである。
【００１８】
なお、重合部１７は図４に示したように、内面側に形成することもできる。以下の説明において、前記の構成と同一又は同等の部位については同一の符号を付して詳しい説明を省略する。
【００１９】
図５、図６は、折り曲げ部１６を垂直片１４と係止部１２の両側縁に形成した吊子１１の例を示している。図５の吊子１１では、重合部１７を外面側に、図６の吊子１１では重合部１７を内面側に有する。
【００２０】
また、重合部１７は図７に示したように、重合する部分に対応する幅に形成することもできる。
【００２１】
図８に示した吊子１１は、固定片１３ａの幅方向の両側に、重合部１７を有する断面逆Ｌ字型をなす受け部１９が形成された例である。この受け部１９は、係止部１２に係止する折板の下面を受ける部分である。
【００２２】
図９は、折り曲げ部１６を係止部１２の先端部１２ｂの先端縁に形成した例を示している。この場合、材料たる金属板の端である固定片１３ａの先端縁と重合部１７の対応部位を図９（ａ）に示したように揃えておくも、図９（ｂ）に示したように一方を折り返して他方を包み込むようにするもよい。
【００２３】
図１０は、丸はぜ型の吊子１１の例を示している。この吊子１１は、上端部の係止部１２の形態が断面略円弧状をなし、それより下側の取り付け部１３は上下方向に垂直に形成されている。折り曲げ部１６は下端に形成され、重合部１７が垂直片１４から係止部１２にかけて形成されている。重合部１７における垂直片に対応する部位には、取り付け孔１７ｂが形成されるとともに、重なり合う部分で一体の縦方向に直線状をなす２本のリブ１７ａが形成されている。
【００２４】
また、以上の例のように重合部を形成するのに先立って、図１１に示したように、重合部１７とこの重合部１７に重なる部分の相対向する対向面は、粗面２０に形成されるとよい。粗面化は、たとえばブラスト加工等の適宜手段によって行える。
【００２５】
粗面化した場合には、重合したときに、面同士の間での接触抵抗が高く、面方向でのずれがなく、高い一体性を得られる。
【００２６】
以上のように構成された吊子１１では、折り曲げ部１６で折り返されて形成された重合部１７が係止部１２に形成されているので、重合部１７とこれが重合する部分との間での位置関係が安定し、係止部１２の形状変化を抑えることができる。折板屋根に負圧が作用すると、吊子１１の係止部１２に伸びる力がかかって、係止部１２が延びる変形をすることがあるが、その変形を抑えられるので、折板の脱落を防止して、折板の飛散を抑制できる。
【００２７】
しかも、重合部１７に取り付け孔１７ｂが形成された場合には、重合部１７が屋根板取り付け金具２１に対して固定するためのボルト２２で締められることになる。このため、重合部１７の重合状態がボルト２２によっても維持されるため、係止部１２の形状変化を阻止する効果が高い。
【００２８】
同様に、重合部１７に、重なり合う部分で一体のリブ１７ａが形成された場合には、強度の向上を図ることができるとともに、重なり合う相互間で面方向での位置ずれを防止できるので、この点からも重合部分の高い一体性を得ることが可能となる。
【００２９】
折り曲げ部１６が係止部１２と垂直片１４に形成された場合には、重合部１７の存在によるほか、折り曲げ部１６の存在によっても剛性が向上して形態が安定し、形状を維持するのに大きく貢献する。
【００３０】
また、互いに重なる部分の対向面を粗面にした場合には、前記のように、面同士の間での接触抵抗が高く、面方向でのずれがなく、高い一体性を得られるので、さらに強固な形態保持能力を付与することができ、折板の飛散防止に貢献する。
【００３１】
さらに、吊子１１の補強をリブによって行うのではなく、重合部１７の形成によって行うので、強度のばらつきが生じにくい。このため、強度が安定した製品を容易に得ることができ、確実性を高めることができる。
【００３２】
以上はこの発明を実施するための一形態であって、この発明は前記の構成のみに限定されるものではなく、その他の形態を採用することができる。
【００３３】
たとえば、折り曲げ部を固定片の先端縁に備えるほか、係止部と垂直片とに備えて、２種類の重合部を有する吊子とするもよい。
【図面の簡単な説明】
【００３４】
【図１】吊子の斜視図。
【図２】吊子を備えた屋根板取り付け金具の斜視図。
【図３】吊子の縦断面図。
【図４】他の例に係る吊子の縦断面図。
【図５】他の例に係る吊子の斜視図。
【図６】他の例に係る吊子の斜視図。
【図７】他の例に係る吊子の斜視図。
【図８】他の例に係る吊子の斜視図。
【図９】他の例に係る吊子の縦断面図。
【図１０】他の例に係る吊子の斜視図。
【図１１】重合部と重合部に重なる部分の相対向面の構造を示す拡大断面図。
【符号の説明】
【００３５】
１１…吊子
１２…係止部
１５…取り付け孔
１６…折り曲げ部
１７…重合部
１７ａ…リブ
１７ｂ…取り付け孔
１８…リブ
２０…粗面
【図１】
2010090673.tif 000003
【図２】
2010090673.tif 000004
【図３】
2010090673.tif 000005
【図４】
2010090673.tif 000006
【図５】
2010090673.tif 000007
【図６】
2010090673.tif 000008
【図７】
2010090673.tif 000009
【図８】
2010090673.tif 000010
【図９】
2010090673.tif 000011
【図１０】
2010090673.tif 000012
【図１１】
2010090673.tif 000013